(57)【要約】【課題】機械の静止部及び移動部にケーブル類保護案内装置を介してケーブル類の損傷を防止し安定かつ簡便に固定するとともに、ケーブル類の固定領域を簡素化して省スペース化を図り、しかも、ケーブル類の浮き上がりを防止するケーブルクランプユニットを提供すること。【解決手段】ケーブル保持手段１３１が、ケーブル類Ｃ１のブラケット経由部分をそれぞれ配列状態に位置決めする複数のＵ字状合成樹脂ベルト１３１ａと、この複数のＵ字状合成樹脂ベルト１３１ａに着脱自在に装着してケーブル類Ｃ１のブラケット経由部分を押圧固定する短冊状合成樹脂バックル１３１ｂと、複数のＵ字状合成樹脂ベルト１３１ａを配列状態で一体に立設するベースプレート１３１ｃとで構成されているケーブルクランプユニット１３０。【選択図】図２
2012115098.tif 000002
【特許請求の範囲】
【請求項１】
機械の静止部に取り付けたケーブル類保護案内装置の固定端ブラケットと前記機械の移動部に取り付けたケーブル類保護案内装置の移動端ブラケットとの間で屈曲自在なケーブル類保護案内装置内に収納して保護案内されるケーブル類のブラケット経由部分を配列状態で保持するケーブル保持手段と前記固定端ブラケット及び移動端ブラケットをケーブル保持手段とともに静止部及び移動部にそれぞれ固定する固定手段とで構成されるケーブルクランプユニットにおいて、
前記ケーブル保持手段が、前記ケーブル類のブラケット経由部分をそれぞれ配列状態に位置決めする複数のＵ字状合成樹脂ベルトと、該複数のＵ字状合成樹脂ベルトに着脱自在に装着してケーブル類のブラケット経由部分を押圧固定する短冊状合成樹脂バックルと、前記複数のＵ字状合成樹脂ベルトを配列状態で一体に立設するベースプレートとで構成されていることを特徴とするケーブルクランプユニット。
【請求項２】
前記Ｕ字状合成樹脂ベルトが、前記短冊状合成樹脂バックルの係合孔と多段階に噛み外し自在のラック歯をＵ字状に屈曲するベルト端面にそれぞれ備えていることを特徴とする請求項１に記載のケーブルクランプユニット。
【請求項３】
前記短冊状合成樹脂バックルが、前記ケーブル類のブラケット経由部分を面接触状態で押圧するケーブル受け曲面を備えていることを特徴とする請求項１又は請求項２に記載のケーブルクランプユニット。
【請求項４】
前記固定手段が前記固定端ブラケット及び移動端ブラケットを介してベースプレートを静止部及び移動部にそれぞれ締結固定する締結ボルトからなるとともに、前記ケーブル類保護案内装置の固定端ブラケット、移動端ブラケット、ベースプレートの少なくとも１つが前記ケーブル類保護案内装置の左右幅方向に位置決め可能な締結用長穴を備えていることを特徴とする請求項１乃至請求項３のいずれか１つに記載のケーブルクランプユニット。
【発明の詳細な説明】
【技術分野】
【０００１】
本発明は、例えば、産業用機械、半導体用のチップマウンター、又は、車両等の静止部と移動部とを接続する電気信号の伝達や電力の供給を行う電気ケーブルや、油圧、空気圧を供給するホース等のケーブル類を収容すると共に、移動部の移動中においてもケーブル類を安全にかつ確実に保護案内するのに好適なケーブル類保護案内装置に関するものであって、特に、機械の静止部及び移動部にケーブル類保護案内装置を介してケーブル類を固定するために用いられるケーブルクランプユニットに関する。
【背景技術】
【０００２】
従来、このようなケーブル類保護案内装置のケーブルクランプユニットとして、機械の静止部に取付けられる固定端とこの機械の移動部に取付けられる移動端とに至る屈曲自在なケーブル類保護案内装置内に収納されたケーブル類のブラケット経由部分を固定する複数のクランプ用クシ歯部材と、固定端と移動端の少なくとも一方に取り付けられてクランプ用クシ歯部材の係合クシ歯部位を所望の係合装着位置で係合装着可能な複数の被係合部位を備えたクシ歯受け部材とで構成されているケーブルクランプユニットが知られている。
【０００３】
そして、クシ歯受け部材に形成された複数の被係合部位が、等間隔に配置された同一の嵌合巾をそれぞれ有してクランプ用クシ歯部材の係合クシ歯部位の係合装着位置を巾方向で変更自在に構成されている（例えば、特許文献１参照）。
【先行技術文献】
【特許文献】
【０００４】
【特許文献１】特許４１０４６０７号公報（特許請求の範囲、図１）
【発明の概要】
【発明が解決しようとする課題】
【０００５】
しかしながら、従来のようなケーブルクランプユニットでは、クシ歯受け部材に係合装着されたクランプ用クシ歯部材に対してケーブル類を押し当てて、１つのクランプ用クシ歯部材と１本のケーブル類とを１組として２本の樹脂製バンドでそれぞれ個別に結束しているため、ケーブル類の結束作業が煩雑になるという問題があった。
【０００６】
また、クランプ用クシ歯部材の係合クシ歯部位とクシ歯受け部材の被係合部位とが係合するための特異な凹凸係合形態を備えているため、ケーブル取付構造が複雑になるという問題があった。
【０００７】
そこで、本発明は、従来の問題を解決するものであって、すなわち、本発明の目的は、機械の静止部及び移動部にケーブル類保護案内装置を介してケーブル類の損傷を防止し安定かつ簡便に固定するとともに、ケーブル類の固定領域を簡素化して省スペース化を図り、しかも、ケーブル類の浮き上がりを防止するケーブルクランプユニットを提供することである。
【課題を解決するための手段】
【０００８】
本請求項１に係る発明は、機械の静止部に取り付けたケーブル類保護案内装置の固定端ブラケットと前記機械の移動部に取り付けたケーブル類保護案内装置の移動端ブラケットとの間で屈曲自在なケーブル類保護案内装置内に収納して保護案内されるケーブル類のブラケット経由部分を配列状態で保持するケーブル保持手段と前記固定端ブラケット及び移動端ブラケットをケーブル保持手段とともに静止部及び移動部にそれぞれ固定する固定手段とで構成されるケーブルクランプユニットにおいて、前記ケーブル保持手段が、前記ケーブル類のブラケット経由部分をそれぞれ配列状態に位置決めする複数のＵ字状合成樹脂ベルトと、該複数のＵ字状合成樹脂ベルトに着脱自在に装着してケーブル類のブラケット経由部分を押圧固定する短冊状合成樹脂バックルと、前記複数のＵ字状合成樹脂ベルトを配列状態で一体に立設するベースプレートとで構成されていることにより、前述した課題を解決したものである。
【０００９】
請求項２に係る本発明は、請求項１に記載の構成に加えて、前記Ｕ字状合成樹脂ベルトが、前記短冊状合成樹脂バックルの係合孔と多段階に噛み外し自在のラック歯をＵ字状に屈曲するベルト端面にそれぞれ備えていることにより、前述した課題を更に解決したものである。
【００１０】
請求項３に係る本発明は、請求項１又は請求項２に記載の構成に加えて、前記短冊状合成樹脂バックルが、前記ケーブル類のブラケット経由部分を面接触状態で押圧するケーブル受け曲面を備えていることにより、前述した課題を更に解決するものである。
【００１１】
請求項４に係る本発明は、請求項１乃至請求項３に記載の構成に加えて、前記固定手段が前記固定端ブラケット及び移動端ブラケットを介してベースプレートを静止部及び移動部にそれぞれ締結固定する締結ボルトからなるとともに、前記ケーブル類保護案内装置の固定端ブラケット、移動端ブラケット、ベースプレートの少なくとも１つが前記ケーブル類保護案内装置の左右幅方向に位置決め可能な締結用長穴を備えていることにより、前述の課題を更に解決するものである。
【発明の効果】
【００１２】
そこで、本発明のケーブルクランプユニットは、機械の静止部に取り付けたケーブル類保護案内装置の固定端ブラケットと機械の移動部に取り付けたケーブル類保護案内装置の移動端ブラケットとの間で屈曲自在なケーブル類保護案内装置内に収納して保護案内されるケーブル類のブラケット経由部分を配列状態で保持するケーブル保持手段と固定端ブラケット及び移動端ブラケットをケーブル保持手段とともに静止部及び移動部にそれぞれ固定する固定手段とで構成されていることにより、ケーブル類のブラケット経由部分を機械の静止部及び移動部に確実に固定できるばかりでなく、以下のような特有の効果を奏することができる。
【００１３】
本請求項１に係る発明によれば、ケーブル保持手段がケーブル類のブラケット経由部分をそれぞれ配列状態に位置決めする複数のＵ字状合成樹脂ベルトとこの複数のＵ字状合成樹脂ベルトに着脱自在に装着してケーブル類のブラケット経由部分を押圧固定する短冊状合成樹脂バックルと複数のＵ字状合成樹脂ベルトを配列状態で一体に立設するベースプレートとで構成されていることにより、複数のＵ字状合成樹脂ベルトがベースプレートに対してそれぞれ配列状態で一体に立設されているため、ケーブル類のブラケット経由部分をそれぞれ押圧固定する際に複数のケーブル類がＵ字状合成樹脂ベルト毎に仕切られた固定領域内に配置されて相互に干渉することなく簡便に順次固定することができるばかりでなく、短冊状合成樹脂バックルが複数のＵ字状合成樹脂ベルトに対して共用されているため、複数のケーブル類を纏まり良く一体に安定して押圧固定し、しかも、ブラケット経由部分の固定領域を小型化することができる。
【００１４】
さらに、ケーブル保持手段が複数のＵ字状合成樹脂ベルトとこの複数のＵ字状合成樹脂ベルトに着脱自在に装着する短冊状合成樹脂バックルとを備えていることにより、Ｕ字状合成樹脂ベルトと短冊状合成樹脂バックルとが合成樹脂に特有の可撓性と弾力性を発揮するため、固定保持しようとするケーブル類の損傷を回避することができるばかりでなく、複数のＵ字状合成樹脂ベルトと短冊状合成樹脂バックルとで複数の保持区画を画成するため、ケーブル類のブラケット経由部分毎に独立して整然と保持して相互の混線を回避することができる。
【００１５】
請求項２に係る本発明のケーブルクランプユニットによれば、請求項１に記載されたケーブルクランプユニットが奏する効果に加えて、Ｕ字状合成樹脂ベルトが短冊状合成樹脂バックルの係合孔と多段階に噛み外し自在のラック歯をＵ字状に屈曲するベルト端面にそれぞれ備えていることにより、短冊状合成樹脂バックルの係合孔をケーブル類の径寸法の大小に応じた最適な位置でベルト端面のラック歯に左右均等かつ着脱自在に係合させることが可能になるため、ケーブル保護案内時におけるケーブル類の不用意な浮き上がりを防止するとともに保守メンテナンス時におけるケーブル類の取り外し作業を簡便に達成することができる。
【００１６】
請求項３に係る本発明のケーブルクランプユニットによれば、請求項１又は請求項２に記載されたケーブルクランプユニットが奏する効果に加えて、短冊状合成樹脂バックルがケーブル類のブラケット経由部分を面接触状態で押圧するケーブル受け曲面を備えていることにより、短冊状合成樹脂バックルでケーブル類のブラケット経由部分を押圧して締め付け固定するに際して短冊状合成樹脂バックルのケーブル受け曲面がケーブル類のブラケット経由部分に対する押圧面積を増加させて押圧力を分散させるため、ケーブル類のブラケット経由部分に生じがちな擦過、摩耗等による損傷を低減するとともにケーブル類のブラケット経由部分を更に確実に押圧固定することができる。
【００１７】
請求項４に係る本発明のケーブルクランプユニットによれば、請求項１乃至請求項３のいずれか１項に記載されたケーブルクランプユニットが奏する効果に加えて、固定手段が固定端ブラケット及び移動端ブラケットを介してベースプレートを静止部及び移動部にそれぞれ締結固定する締結ボルトからなるとともに、ケーブル類保護案内装置の固定端ブラケット、移動端ブラケット、ベースプレートの少なくとも１つがケーブル類保護案内装置の左右幅方向に位置決め可能な締結用長穴を備えていることにより、締結ボルトがケーブル類保護案内装置の左右幅方向に位置決め可能な締結用長穴を介して静止部及び移動部の取り付け位置に締結されるため、静止部及び移動部に対する固定端ブラケット及び移動端ブラケットの位置合わせ作業が簡便になるとともに、静止部及び移動部とケーブル類保護案内装置との間で生じがちな取り付けの寸法誤差を許容して更に確実に押圧固定することができる。
【図面の簡単な説明】
【００１８】
【図１】本発明の第１実施例であるケーブルクランプユニットが適用されるケーブル類保護案内装置の全体概要図。
【図２】図１に示すケーブルクランプユニットの組み立て図。
【図３】図２に示すケーブルクランプユニットの組立完了後を示す一部切り欠き図。
【図４】図３中のＸ−Ｘ断面図。
【図５】本発明の第２実施例であるケーブルクランプユニットの斜視図。
【図６】図５中のＹ−Ｙ断面図。
【発明を実施するための最良の形態】
【００１９】
本発明は、機械の静止部に取り付けたケーブル類保護案内装置の固定端ブラケットと機械の移動部に取り付けたケーブル類保護案内装置の移動端ブラケットとの間で屈曲自在なケーブル類保護案内装置内に収納して保護案内されるケーブル類のブラケット経由部分を配列状態で保持するケーブル保持手段と固定端ブラケット及び移動端ブラケットをケーブル保持手段とともに静止部及び移動部にそれぞれ固定する固定手段とで構成されるケーブルクランプユニットにおいて、ケーブル保持手段がケーブル類のブラケット経由部分をそれぞれ配列状態に位置決めする複数のＵ字状合成樹脂ベルトと、この複数のＵ字状合成樹脂ベルトに着脱自在に装着してケーブル類のブラケット経由部分を押圧固定する短冊状合成樹脂バックルと複数のＵ字状合成樹脂ベルトを配列状態で一体に立設するベースプレートとで構成されていることによって、機械の静止部及び移動部にケーブル類保護案内装置を介してケーブル類の損傷を防止し安定かつ簡便に固定するとともに、ケーブル類の固定領域を簡素化して省スペース化を図り、しかも、ケーブル類の浮き上がりを防止するものであれば、その具体的態様は如何なるものであっても良い。
【００２０】
なお、本発明で意味するところのケーブル類とは、例えば、産業用機械や、半導体用のチップマウンターや、車両などの移動部と静止部とを接続する電気信号の伝達や電力の供給を行う電気ケーブル、油圧や空気圧を供給するホース、又は、これらの集合体をいう。
【００２１】
具体的には、本体の構造としては、例えば、左右一対のリンクプレートと、それら両リンクプレートを屈曲内周側で連結する屈曲内周側連結板と屈曲外周側で連結する屈曲外周側連結板とで構成される矩形状のリンク枠体を連結ピン等で長尺状に多数連結したものでも良いし、その他、屈曲自在で一体的に形成された長尺状の囲繞体でも構わない。
【００２２】
また、短冊状合成樹脂バックルは、ケーブル類保護案内装置内に収納して保護案内するものであれば良く、ケーブル類の本数に応じて適宜枚数を増減可能であって、例えば、ケーブル類を屈曲内周側と屈曲外周側とで２段配列する場合には、短冊状合成樹脂バックルを上下で２枚設け、屈曲内周側のケーブル類を屈曲内周側に設けられる短冊状合成樹脂バックルで押圧固定し、屈曲外周側のケーブル類を上下２枚の短冊状合成樹脂バックルで挟持しても構わない。
【００２３】
また、短冊状合成樹脂バックルのケーブル受け曲面の具体的形状については、ケーブル類のブラケット経由部分を面接触状態で押圧できれば良く、例えば、ケーブル類の外周面に馴染み易い単一若しくは複数の曲率半径を持つ円弧面又はこれら円弧面と平面とからなる曲面であっても構わない。
【００２４】
また、Ｕ字状合成樹脂ベルトのラック歯については、短冊状合成樹脂バックルの係合孔と多段階に噛み外し自在に形成可能であれば良く、Ｕ字状に屈曲するベルト端面、すなわち、Ｕ字状合成樹脂ベルトの端部の内周面又は外周面のいずれに形成されていても構わない。
【実施例１】
【００２５】
以下、本発明の第１実施例であるケーブルクランプユニット１３０を図１乃至図４に基づいて説明する。
ここで、図１は、本発明の第１実施例であるケーブルクランプユニット１３０が適用されるケーブル類保護案内装置１００の全体概要図であり、図２は、図１に示すケーブルクランプユニット１３０の組み立て図であり、図３は、図２に示すケーブルクランプユニット１３０の組立完了後を示す一部切り欠き図であり、図４は、図３中のＸ−Ｘ断面図である。
【００２６】
まず、図１に示すように、本発明の一実施例であるケーブルクランプユニット１３０を適用するケーブル類保護案内装置１００は、例えば、産業用機械（例えば、半導体用チップマウンターや工作機械など）の静止部ＭＡから該機械の移動部ＭＢに電力や圧縮空気等のエネルギーを供給するケーブルやホース等のケーブル類Ｃ１を保護案内するために使用されるもので、例えば、矩形状のリンク枠体１１０が長尺状に多数連結され、産業用機械の静止部ＭＡと移動部ＭＢとの間の移動状況に応じて直線状態、あるいは屈曲状態を呈することができ、これらのリンク枠体１１０が連続して形成されたケーブル類収容空間内にケーブル類Ｃ１を挿通した状態で保護案内できるようになっている。
【００２７】
前述したリンク枠体１１０は、例えば、ガラス繊維強化ポリアミド系樹脂によって成形され、離間配置された左右一対のリンクプレート１１１、１１１と、これらのリンクプレート１１１、１１１の屈曲内周側に横架された屈曲内周側連結板１１２と屈曲外周側に横架された屈曲外周側連結板１１３とが矩形状に一体化されている。
【００２８】
そして、屈曲内周側連結板１１２は、左右一対のリンクプレート１１１、１１１と射出成形加工によって一体化されているが、屈曲外周側連結板１１３は、一端が片方のリンクプレート１１１に回動可能に連結され、他端がもう片方のリンクプレート１１１に係合可能に開閉自在になっている。
【００２９】
また、リンクプレート１１１のプレート前方とプレート後方とは、プレート厚み方向に段差を形成した、いわゆる、オフセット構造を呈しており、さらに、リンクプレート１１１のプレート後方には、連結ピン１１４が設けられているとともに、プレート前方には、連結ピン１１４と略同一径の連結ピン孔１１５が設けられている。
【００３０】
したがって、リンク枠体１１０同士は、相互に連続して配置されるリンクプレート１１１、１１１の連結ピン１１４と連結ピン孔１１５とを嵌め込むことで連結され、連結ピン１１４を中心に規定の角度範囲内で屈曲することができるようになっている。
【００３１】
さらに、本発明の第１実施例であるケーブルクランプユニット１３０は、図１乃至図３に示すように、機械の静止部ＭＡに取り付けたケーブル類保護案内装置１００の固定端ブラケット１２０Ａと機械の移動部ＭＢに取り付けたケーブル類保護案内装置１００の移動端ブラケット１２０Ｂとの間で屈曲自在なケーブル類保護案内装置１００内に収納して保護案内されるケーブル類Ｃ１の固定端ブラケット１２０Ａ周辺に位置する部分及び移動端ブラケット１２０Ｂ周辺に位置する部分、すなわち、ケーブル類Ｃ１のブラケット経由部分をケーブル類保護案内装置１００の左右幅方向に横一列に保持するケーブル保持手段１３１と、固定端ブラケット１２０Ａ及び移動端ブラケット１２０Ｂをケーブル保持手段１３１とともに機械の静止部ＭＡ及び機械の移動部ＭＢにそれぞれ固定する固定手段１３２とで構成されている。
【００３２】
そこで、本発明の第１実施例であるケーブルクランプユニット１３０が最も特徴とするケーブル保持手段１３１及び固定手段１３２の具体的な形態について詳説する。
まず、本発明の第１実施例であるケーブルクランプユニット１３０は、図２及び図３に示すように、ケーブル保持手段１３１が、ケーブル類Ｃ１のブラケット経由部分をケーブル類保護案内装置１００の左右幅方向に横一列にそれぞれ位置決めする４つのＵ字状合成樹脂ベルト１３１ａと、これらＵ字状合成樹脂ベルト１３１ａに着脱自在に装着してケーブル類Ｃ１のブラケット経由部分を押圧固定する１つの短冊状合成樹脂バックル１３１ｂと、４つのＵ字状合成樹脂ベルト１３１ａをケーブル類保護案内装置１００の左右幅方向に横一列で一体に立設するベースプレート１３１ｃとで構成されている。
これにより、Ｕ字状合成樹脂ベルト１３１ａが、ベースプレート１３１ｃに対してそれぞれケーブル類保護案内装置１００の左右幅方向に横一列で一体に立設されているとともに、１つの短冊状合成樹脂バックル１３１ｂが４つのＵ字状合成樹脂ベルト１３１ａに対して共用されている。
【００３３】
また、４本のケーブル類Ｃ１のブラケット経由部分が、４つのＵ字状合成樹脂ベルト１３１ａにそれぞれ位置決めされるとともに、１つの短冊状合成樹脂バックル１３１ｂに押圧固定されていることにより、Ｕ字状合成樹脂ベルト１３１ａと短冊状合成樹脂バックル１３１ｂとが合成樹脂に特有の可撓性と弾力性を発揮するとともに、４つのＵ字状合成樹脂ベルト１３１ａと１つの短冊状合成樹脂バックル１３１ｂとで４つの保持区画を画成している。
【００３４】
次に、図２乃至図４に示すように、Ｕ字状合成樹脂ベルト１３１ａの内周面に形成されたラック歯１３１ｅが、短冊状合成樹脂バックル１３１ｂの係合孔１３１ｄと多段階に噛み外し自在に係合している。
これにより、短冊状合成樹脂バックル１３１ｂの係合孔１３１ｄが、ケーブル類Ｃ１の径寸法の大小に応じた最適な位置でＵ字状合成樹脂ベルト１３１ａのラック歯１３１ｅに左右均等かつ着脱自在に係合することが可能になっている。
【００３５】
次に、図４に示すように、短冊状合成樹脂バックル１３１ｂが、ケーブル類Ｃ１のブラケット経由部分を面接触状態で押圧するケーブル受け曲面１３１ｆを備えている。
これにより、短冊状合成樹脂バックル１３１ｂでケーブル類Ｃ１のブラケット経由部分を押圧して締め付け固定する際に、短冊状合成樹脂バックル１３１ｂのケーブル受け曲面１３１ｆが、ケーブル類Ｃ１のブラケット経由部分に対する押圧面積を増加させて押圧力を分散させている。
【００３６】
さらに、図３乃至図４に示すように、固定手段１３２、すなわち、締結ボルト１３２が、固定端ブラケット１２０Ａ及び移動端ブラケット１２０Ｂを介してベースプレート１３１ｃを機械の静止部ＭＡ及び機械の移動部ＭＢにそれぞれ締結固定し、また、ケーブル保持手段１３１のベースプレート１３１ｃが、ケーブル類保護案内装置１００の左右幅方向に位置決め可能な締結用長穴１３１ｇを備えている。
これにより、締結ボルト１３２が、ケーブル類保護案内装置１００の左右幅方向に位置決め可能な締結用長穴１３１ｇを介して機械の静止部ＭＡ及び機械の移動部ＭＢの取り付け位置に締結されている。
【００３７】
このようにして得られた本発明の第１実施例のケーブルクランプユニット１００は、ケーブル保持手段１３１が、ケーブル類Ｃ１のブラケット経由部分をそれぞれ配列状態に位置決めする複数のＵ字状合成樹脂ベルト１３１ａと、この複数のＵ字状合成樹脂ベルト１３１ａに着脱自在に装着してケーブル類Ｃ１のブラケット経由部分を押圧固定する短冊状合成樹脂バックル１３１ｂと、複数のＵ字状合成樹脂ベルト１３１ａを配列状態で一体に立設するベースプレート１３１ｃとで構成されていることにより、ケーブル類Ｃ１のブラケット経由部分をそれぞれ押圧固定する際に複数のケーブル類Ｃ１がＵ字状合成樹脂ベルト１３１ａ毎に仕切られた固定領域内に配置されて相互に干渉することなく簡便に順次固定することができるばかりでなく、複数のケーブル類Ｃ１を纏まり良く一体に安定して押圧固定し、ブラケット経由部分の固定領域を小型化することができる。
また、固定保持しようとするケーブル類Ｃ１の損傷を回避することができ、ケーブル類Ｃ１のブラケット経由部分毎に独立して整然と保持して相互の混線を回避することができる。
【００３８】
また、Ｕ字状合成樹脂ベルト１３１ａが、短冊状合成樹脂バックル１３１ｂの係合孔１３１ｄと多段階に噛み外し自在のラック歯１３１ｅをＵ字状に屈曲するベルト端面にそれぞれ備えていることにより、ケーブル保護案内時におけるケーブル類Ｃ１の不用意な浮き上がりを防止するとともに保守メンテナンス時におけるケーブル類Ｃ１の取り外し作業を簡便に達成することができる。
【００３９】
また、短冊状合成樹脂バックル１３１ｂが、ケーブル類Ｃ１のブラケット経由部分を面接触状態で押圧するケーブル受け曲面１３１ｆを備えていることより、ケーブル類Ｃ１のブラケット経由部分に生じがちな擦過、摩耗等による損傷を低減するとともにケーブル類Ｃ１のブラケット経由部分を更に確実に押圧固定することができる。
【００４０】
さらに、固定手段１３２が、固定端ブラケット１２０Ａ及び移動端ブラケット１２０Ｂを介してベースプレート１３１ｃを機械の静止部ＭＡ及び機械の移動部ＭＢにそれぞれ締結固定する締結ボルト１３２からなり、また、ケーブル類保護案内装置１００の固定端ブラケット１２０Ａ、移動端ブラケット１２０Ｂ、ベースプレート１３１ｃの少なくとも１つが、ケーブル類保護案内装置１００の左右幅方向に位置決め可能な締結用長穴１３１ｇを備えていることにより、機械の静止部ＭＡ及び機械の移動部ＭＢに対する固定端ブラケット１２０Ａ及び移動端ブラケット１２０Ｂの位置合わせ作業が簡便になるとともに、機械の静止部ＭＡ及び機械の移動部ＭＢとケーブル類保護案内装置１００との間で生じがちな取り付けの寸法誤差を許容して更に確実に押圧固定することができる等、その効果は甚大である。
【実施例２】
【００４１】
次に、本発明の第２実施例であるケーブルクランプユニット２３０について、図５及び図６に基づいて説明する。
ここで図５は、本発明の第２実施例であるケーブルクランプユニット２３０の斜視図であり、図６は、図５中のＹ−Ｙ断面図である。
まず、図５及び図６に示すケーブル類保護案内装置２００は、上述した第１実施例のケーブル類保護案内装置１００と同一の部材について対応する２００番台の符号を付してその重複する説明を省略する。
【００４２】
そこで、本発明の第２実施例であるケーブルクランプユニット２３０が最も特徴とするケーブル保持手段２３１の具体的な形態について詳説する。
すなわち、４本の大径ケーブル類Ｃ１及び４本の小径ケーブル類Ｃ２のブラケット経由部分が４つのＵ字状合成樹脂ベルト２３１ａにそれぞれ位置決めされているとともに、大径ケーブル類Ｃ１が、ケーブル類保護案内装置２００の屈曲内周側に装着された短冊状合成樹脂バックル２３１ｂに押圧固定され、小径ケーブル類Ｃ２が、屈曲内周側と屈曲外周側の上下２段に装着された短冊状合成樹脂バックル２３１ｂに上下から押圧固定されている。
これにより、４つのＵ字状合成樹脂ベルト２３１ａが、ベースプレート２３１ｃに対してそれぞれケーブル類保護案内装置２００の左右幅方向に横１列で一体に立設されているとともに、屈曲内周側と屈曲外周側の上下２段に装着された短冊状合成樹脂バックル２３１ｂが４つのＵ字状合成樹脂ベルト２３１ａに対してそれぞれ共用されている。
また、Ｕ字状合成樹脂ベルト２３１ａと短冊状合成樹脂バックル２３１ｂとが、合成樹脂に特有の可撓性と弾力性を発揮するとともに、４つのＵ字状合成樹脂ベルト２３１ａと上下２段の短冊状合成樹脂バックル２３１ｂとで屈曲内周側と屈曲外周側とにそれぞれ４つの保持区画を画成している。
【００４３】
このようにして得られた本発明の第２実施例のケーブルクランプユニット２３０は、前述した本第１実施例のケーブルクランプユニット１００が奏する効果と同様に、ケーブル類Ｃ１、Ｃ２のブラケット経由部分をそれぞれ押圧固定する際に複数のケーブル類Ｃ１、Ｃ２が、Ｕ字状合成樹脂ベルト２３１ａ毎に仕切られた固定領域内に配置されて相互に干渉することなく簡便に順次固定することができるばかりでなく、複数のケーブル類Ｃ１、Ｃ２を纏まり良く一体に安定して押圧固定し、しかも、ブラケット経由部分の固定領域を小型化することができる。
また、固定保持しようとするケーブル類Ｃ１、Ｃ２の損傷を回避して、ケーブル類Ｃ１、Ｃ２のブラケット経由部分毎に独立して整然と保持して相互の混線を回避することができるなど、その効果は甚大である。
【符号の説明】
【００４４】
１００、２００    ・・・  ケーブル類保護案内装置
１１０、２１０    ・・・  リンク枠体
１１１、２１１    ・・・  リンクプレート
１１２、２１２    ・・・  屈曲内周側連結板
１１３、２１３    ・・・  屈曲外周側連結板
１１４、２１４    ・・・  連結ピン
１１５、２１５    ・・・  連結ピン孔
１２０Ａ、２２０Ａ・・・  固定端ブラケット
１２０Ｂ  ・・・  移動端ブラケット
１３０、２３０    ・・・  ケーブルクランプユニット
１３１、２３１    ・・・  ケーブル保持手段
１３１ａ、２３１ａ・・・  Ｕ字状合成樹脂ベルト
１３１ｂ、２３１ｂ・・・  短冊状合成樹脂バックル
１３１ｃ、２３１ｃ・・・  ベースプレート
１３１ｄ、２３１ｄ・・・  係合孔
１３１ｅ、２３１ｅ・・・  ラック歯
１３１ｆ、２３１ｆ・・・  ケーブル受け曲面
１３１ｇ  ・・・  締結用長穴
１３２，２３２    ・・・  固定手段（締結ボルト）
Ｃ１、Ｃ２・・・  ケーブル類
ＭＡ      ・・・  機械の静止部
ＭＢ      ・・・  機械の移動部
【図１】
2012115098.tif 000003
【図２】
2012115098.tif 000004
【図３】
2012115098.tif 000005
【図４】
2012115098.tif 000006
【図５】
2012115098.tif 000007
【図６】
2012115098.tif 000008